Podtech/llm-jp-corpus-v4-ja_patent huggingface dataset:
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
顔面の瞳孔線と正中線の少なくともいずれかを、下顎運動を再現させる咬合器上に表示させるために記録する装置において、口腔内に挿入するバイトフォーク本体と、該バイトフォーク本体に設けたアームとによって構成したものであって、瞳孔線記録具を回動可能に支持した瞳孔線記録装置と、正中線記録具を回動可能に支持した正中線線記録装置の少なくともいずれかを、該アームに設けたことを特徴とするバイトフォーク。
【請求項２】
瞳孔線記録装置と正中線記録装置の少なくともいずれかは、咬合器のトランスファージグへの取付部を有するものである請求項１記載バイトフォーク。
【請求項３】
瞳孔線記録装置と正中線記録装置の少なくともいずれかは、咬合器の上下弓フレーム間の中点を表示する中点表示部を設けたものである請求項２記載バイトフォーク。
【請求項４】
口腔内に挿入するバイトフォーク本体と、該バイトフォーク本体に設けたアームとによって構成したものであって、該バイトフォーク本体の両側方に、仮想咬合平面記録具を設けたことを特徴とするバイトフォーク。
【請求項５】
口腔内に挿入するバイトフォーク本体と、該バイトフォーク本体に設けたアームとによって構成したものであって、該バイトフォーク本体側方において回動可能に支持する切歯点−下顎頭間計測装置の取付部を設けると共に、該切歯点−下顎頭間計測装置に設けた目盛りに対応させた対応目盛りをアームに設けことを特徴とするバイトフォーク。
【請求項６】
下顎運動を再現させる咬合器に上顎模型をマウントするフェイス・ボウ・トランスファーに用いるものであって、瞳孔線記録具を回動可能に支持した瞳孔線記録装置と、正中線記録具を回動可能に支持した正中線線記録装置の、少なくともいずれかを設けたバイトフォークのアームを、トランスファーピンに連結したことを特徴とするフェイス・ボウ。
【請求項７】
本体両側に仮想咬合平面記録具を備えたものである請求項６記載のフェイス・ボウ。
【請求項８】
顔面の瞳孔線を、下顎運動を再現させる咬合器上に表示させる方法であって、バイトフォークのアームに瞳孔線記録装置を設けたバイトフォーク本体を、口腔内に挿入した状態で、該瞳孔線記録装置に瞳孔線を記録した後、咬合器にマウントした上顎歯列模型に該バイトフォーク本体を合わせ、該瞳孔線記録装置で記録した瞳孔線を、該咬合器に設けたアイポインツパラレルチェッカーに再現させることを特徴とする審美基準表示方法。
【請求項９】
顔面の正中線を、下顎運動を再現させる咬合器上に表示させる方法であって、バイトフォークのアームに正中線記録装置を設けたバイトフォーク本体を、口腔内に挿入した状態で、顔面の正中線を該正中線記録装置に記録した後、該バイトフォーク本体に上顎歯列模型を載置した状態で、該正中線記録装置の正中線記録具に基づいて該上顎歯列模型の前面にマーキングすることを特徴とする審美基準表示方法。
【請求項１０】
上顎歯列模型をボンウィルの三角に基づいて咬合器に取り付ける方法であって、バイトフォークのアームに瞳孔線記録装置と正中線記録装置の少なくともいずれかを設けたバイトフォーク本体を、口腔内に挿入した状態で、該瞳孔線記録装置と該正中線記録装置に瞳孔線と正中線の少なくともいずれかを記録した後、該瞳孔線記録装置と該正中線記録装置のいずれかを咬合器に設けたトランスファージグに取り付け、バイトフォークのアームを移動させて調整することを特徴とする上顎歯列模型のマウント方法。
【請求項１１】
上顎歯列模型をボンウィルの三角に基づいて咬合器に取り付ける方法であって、バイトフォークのアームに瞳孔線記録装置と正中線記録装置の少なくともいずれかを設けたバイトフォーク本体を、口腔内に挿入した状態で、該瞳孔線記録装置と該正中線記録装置に瞳孔線と正中線の少なくともいずれかを記録した後、該瞳孔線記録装置と該正中線記録装置のいずれかを、咬合器に設けたトランスファージグに穿設した複数の孔の内、ボンウィルの三角に準じた孔に挿入して取り付けることを特徴とする上顎歯列模型のマウント方法。
【請求項１２】
瞳孔線記録装置と正中線記録装置のいずれかに設けた、咬合器の上下弓フレーム間の中点を表示する中点表示部と、バイトフォークに設けた切歯点−下顎頭間計測装置で計測した目盛りに対応させたもので、瞳孔線記録装置と正中線記録装置のいずれかのトランスファージグへの取り付け位置からボンウィルの三角に準じたバイトフォークのアームに付した対応目盛りとによって行うものである請求項１０又は１１記載の上顎歯列模型のマウント方法。
【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
プレーヤーによるコントローラの操作に応じて、プロセッサが表示装置に表示する仮想空間内のプレーヤーキャラクタが敵キャラクタを攻撃するゲームの処理方法において、
前記コントローラの分身発生操作に応じて、前記プロセッサが前記表示装置に表示された前記仮想空間内の前記プレーヤーキャラクタの位置に関連した位置に、前記プレーヤーキャラクタの形状を模し、且つ敵キャラクタからの攻撃に対して当たり判定を持たない分身キャラクタを配置して、前記プレーヤーキャラクタと前記分身キャラクタを表示する分身攻撃準備ステップと、
前記プレーヤーの前記コントローラによる分身攻撃操作に応じて、前記プロセッサが、少なくとも前記分身キャラクタが、前記敵に攻撃を行う処理を実行し、前記表示装置の前記仮想空間内で、前記分身キャラクタが、前記敵キャラクタに攻撃する状態の表示を行う分身攻撃ステップとを有することを
特徴とするゲーム処理方法。
【請求項２】
プレーヤーによるコントローラの操作に応じて、表示装置に表示する仮想空間内のプレーヤーキャラクタが敵キャラクタを攻撃するゲーム装置において、
前記プレーヤーが操作し、少なくとも分身発生及び分身攻撃操作を行うためのコントローラと、
前記プレーヤーの前記コントローラによる分身発生操作に応じて、前記表示装置に表示された前記仮想空間内の前記プレーヤーキャラクタの位置に関連した位置に、前記プレーヤーキャラクタの形状を模し、且つ敵キャラクタからの攻撃に対して当たり判定を持たない分身キャラクタを配置して、前記プレーヤーキャラクタと前記分身キャラクタを表示する分身発生処理を実行し、且つ前記コントローラによる分身攻撃操作に応じて、少なくとも前記分身キャラクタが、前記敵に攻撃を行う処理を実行し、前記表示装置の前記仮想空間内で、前記分身キャラクタが、前記敵キャラクタに攻撃する状態の表示を行う処理ユニットとを有することを
特徴とするゲーム装置。
【請求項３】
プレーヤーによるコントローラの操作に応じて、プロセッサが表示装置に表示する仮想空間内のプレーヤーキャラクタが敵キャラクタを攻撃するゲームをプロセッサに実行させるゲームプログラムにおいて、
前記プロセッサに、
前記コントローラの分身発生操作に応じて、前記表示装置に表示された前記仮想空間内の前記プレーヤーキャラクタの位置に関連した位置に、前記プレーヤーキャラクタの形状を模し、且つ敵キャラクタからの攻撃に対して当たり判定を持たない分身キャラクタを配置して、前記プレーヤーキャラクタと前記分身キャラクタを表示する分身攻撃準備ステップと、
前記プレーヤーの前記コントローラによる分身攻撃操作に応じて、少なくとも前記分身キャラクタが、前記敵に攻撃を行う処理を実行し、前記表示装置の前記仮想空間内で、前記分身キャラクタが、前記敵キャラクタに攻撃する状態の表示を行う分身攻撃ステップとを実行させることを
特徴とするゲームプログラム。
【請求項４】
前記プロセッサに、更に、前記コントローラによる所定のロックオン操作に応じて、前記敵キャラクタを攻撃対象に特定するロックオン処理を実行させることを
特徴とする請求項３のゲームプログラム。
【請求項５】
前記プロセッサに、前記分身攻撃準備ステップとして、前記コントローラの攻撃ボタンが一定時間押下されていることに応じて、前記プレーヤーキャラクタと前記残像分身を表示するステップを実行させることを
特徴とする請求項３のゲームプログラム。
【請求項６】
前記プロセッサに、更に、前記分身攻撃準備状態を、前記攻撃ボタンが一定時間押下されたことを検出しない時に、解除するステップを実行させることを
特徴とする請求項５のゲームプログラム。
【請求項７】
前記プロセッサに、前記分身攻撃準備状態を、前記コントローラのロックオン操作の解除に応じて、解除するステップを実行させることを
特徴とする請求項４のゲームプログラム。
【請求項８】
前記プロセッサに、
前記プレーヤーの操作による前記敵にダメージを与えたポイントを累積するステップと、
前記ポイント累積量が一定量以上である時に、前記分身攻撃を許可するステップを更に実行させることを
特徴とする請求項３のゲームプログラム。
【請求項９】
前記プロセッサに、
前記分身攻撃準備ステップとして、前記コントローラの分身発生操作に応じて、前記プレーヤーの前記仮想空間内での前記プレーヤーキャラクタの移動操作に応じた位置に、前記分身キャラクタを配置して、前記プレーヤーキャラクタと前記分身キャラクタを表示するステップを実行させる
ことを特徴とする請求項３のゲームプログラム。
【請求項１０】
前記プロセッサに、
前記分身攻撃準備ステップとして、前記コントローラの分身発生操作に応じて、前記仮想空間内で前記プレーヤーキャラクタの周囲の位置に、前記分身キャラクタを配置して、前記プレーヤーキャラクタと前記分身キャラクタを表示するステップを実行させることを
特徴とする請求項３のゲームプログラム。
【請求項１１】
前記プロセッサに、
前記分身攻撃準備後に、前記プレーヤーキャラクタが、前記敵キャラクタからダメージを受けた時は、前記分身攻撃準備状態を解除するステップを実行させることを
特徴とする請求項３のゲームプログラム。
【請求項１２】
前記プロセッサは、
前記分身攻撃準備ステップとして、前記コントローラの分身発生操作に応じて、前記仮想空間内で前記プレーヤーキャラクタの位置に関連して、複数の分身キャラクタを配置して、前記プレーヤーキャラクタと前記複数の分身キャラクタを表示するステップを実行させることを
特徴とする請求項３のゲームプログラム。
【請求項１３】
前記プロセッサに、
前記プレーヤーの操作による前記敵にダメージを与えたポイントを累積するステップと、
前記ポイント累積量が一定量以上である時に、前記分身攻撃を許可するステップを実行させ、
且つ前記分身攻撃準備ステップとして、前記コントローラの分身発生操作に応じて、前記仮想空間内で前記プレーヤーキャラクタの位置に関連して、前記ポイント累積量に応じた複数の分身キャラクタを配置して、前記プレーヤーキャラクタと前記複数の分身キャラクタを表示するステップを実行させることを
特徴とする請求項３のゲームプログラム。
【請求項１４】
請求項３乃至請求項１３のいずれかのプログラムを記憶したことを特徴とする記憶媒体。
【手続補正書】
【提出日】平成18年6月2日(2006.6.2)
【手続補正１】
【補正対象書類名】特許請求の範囲
【補正対象項目名】請求項６
【補正方法】変更
【補正の内容】
【請求項６】
０．８≦Ｖ／（Ｙ×Ｄ）≦２．５に設定されている、
ここで、Ｄ（ｍｍ）は該パルスレーザ光線のスポット径であり、Ｖ（ｍｍ／秒）は該被加工物と該パルスレーザ光線との相対的移動速度である、
請求項５記載の分割装置。
【手続補正２】
【補正対象書類名】明細書
【補正対象項目名】００１２
【補正方法】変更
【補正の内容】
【００１２】
図１には、本発明に従って構成された分割装置の好適実施形態の主要部が図示されている。図示の分割装置は支持基台２を有し、この支持基台２上にはＸ軸方向に延びる一対の案内レール４が配設されている。かかる案内レール４上には第一の滑動ブロック６がＸ軸方向に移動自在に装着されている。一対の案内レール４間にはＸ軸方向に延びるねじ軸８が回転自在に装着されており、かかるねじ軸８にはパルスモータ１０の出力軸が連結されている。第一の滑動ブロック６は下方に垂下する垂下部（図示していない）を有し、かかる垂下部にはＸ軸方向に貫通する雌ねじ孔が形成されており、かかる雌ねじ孔にねじ軸８が螺合せしめられている。従って、パルスモータ１０が正転せしめられると第一の滑動ブロック６が矢印１２で示す方向に移動せしめられ、パルスモータ１０が逆転せしめられると第一の滑動ブロック６が矢印１４で示す方向に移動せしめられる。後の説明から明らかになるとおり、パルスモータ１０及びこれによって回転せしめられるねじ軸８は（パルスレーザ光線照射手段に対して相対的に）被加工物を移動せしめる移動手段を構成する。
【手続補正３】
【補正対象書類名】明細書
【補正対象項目名】００１３
【補正方法】変更
【補正の内容】
【００１３】
第一の滑動ブロック６上にはＹ軸方向に延びる一対の案内レール１６が配設されており、かかる案内レール１６上には第二の滑動ブロック１８がＹ軸方向に移動自在に装着されている。一対の案内レール１６間にはＹ軸方向に延びるねじ軸２０が回転自在に装着されており、かかるねじ軸２０にはパルスモータ２２の出力軸が連結されている。第二の滑動ブロック１８にはＹ軸方向に貫通する雌ねじ孔が形成されており、かかる雌ねじ孔にねじ軸２０が螺合されている。従って、パルスモータ２２が正転せしめられると第二の滑動ブロック１８が矢印２４で示す方向に移動せしめられ、パルスモータ２２が逆転せしめられると第二の滑動ブロック１８が矢印２６で示す方向に移動せしめられる。第二の滑動ブロック１８には、円筒部材２５を介して支持テーブル２７が固定されていると共に、保持手段２８が装着されている。保持手段２８は実質上鉛直に延びる中心軸線を中心として回転自在に装着されており、円筒部材２５内には保持手段２８を回転せしめるためのパルスモータ（図示していない）が配設されている。図示の実施形態における保持手段２８は、多孔性材料から形成されたチャック板３０と一対の把持手段３２とから構成されている。
【手続補正４】
【補正対象書類名】明細書
【補正対象項目名】００１４
【補正方法】変更
【補正の内容】
【００１４】
図２には被加工物である半導体ウエーハ３４が図示されている。かかる半導体ウエーハ３４はシリコン基板から構成されており、その表面上にはストリート即ち分割ライン３６が格子状に配設されており、分割ライン３６によって複数個の矩形領域３８が区画されている。矩形領域３８の各々には半導体回路が形成されている。図示の実施形態においては、半導体ウエーハ３４は装着テープ４０を介してフレーム４２に装着されている。適宜の金属或いは合成樹脂から形成することができるフレーム４２は中央部に比較的大きな円形開口４４を有し、半導体ウエーハ３４は開口４４内に位置せしめられている。装着テープ４０はフレーム４２及び半導体ウエーハ３４の下面側においてフレーム４２の開口４４を跨いで延在せしめられており、フレーム４２の下面及び半導体ウエーハ３４の下面に貼着されている。半導体ウエーハ３４にパルスレーザ光線を照射する際には、上記保持手段２８におけるチャック板３０上に半導体ウエーハ３４を位置せしめてチャック板３０を真空源（図示していない）に連通せしめ、かくしてチャック板３０上に半導体ウエーハ３４を真空吸着する。保持手段２８の一対の把持手段３２はフレーム４２を把持する。保持手段２８自体並びに装着テープ４０を介してフレーム４２に装着された半導体ウエーハ３４自体は当業者には周知の形態でよく、従ってこれらについての詳細な説明は本明細書においては省略する。特に半導体ウエーハ３４の表面における分割ライン３６上に金属膜（所謂ｔｅｇ膜）或いは低誘電率絶縁膜（所謂ｌｏｗ−ｋ膜）が形成されている場合には、半導体ウエーハ３４を反転せしめて半導体ウエーハ３４をフレーム４２に装着する（従って、半導体ウエーハ３４の裏面側からパルスレーザ光線を照射する）のが好都合である。
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
少なくとも複数の可動部を備えたロボットであって、
前記可動部の運動目標値として与えられた目標軌道を実現するときの、機体の複数の点に印加される外力分布を決定する外力分布決定手段と、
該決定された外力が作用する条件下で逆動力学演算を実行することにより、前記可動部におけるトルクを算出する逆動力学演算手段と、
を具備することを特徴とするロボット。
【請求項２】
前記可動部における目標とする運動パターンを記述したモーション・データを入力する入力手段と、
モーション実行時の目標軌道を求める手段と、
をさらに備えることを特徴とする請求項１に記載のロボット。
【請求項３】
前記可動部の実動作制御系と同一の構成をなし、モーション・データを入力して目標軌道に関する情報を求める仮想動作制御手段をさらに備える、
ことを特徴とする請求項１に記載のロボット。
【請求項４】
前記外力分布決定手段は、機体の複数の点に作用する垂直反力の２次形式を最小化するように、前記の各点に作用する垂直反力の値を決定する、
をさらに備えることを特徴とする請求項１に記載のロボット。
【請求項５】
前記外力分布決定手段は、機体の複数の点に作用する摩擦力が均一になるように、前記の各点に作用する摩擦力の値を決定する、
をさらに備えることを特徴とする請求項１に記載のロボット。
【請求項６】
前記逆動力学演算手段により算出されたトルクに基づいて、モーション・データが前記可動部の動作性能の範囲内で実行可能か否かを判定する実行可否判定手段をさらに備える、
ことを特徴とする請求項２に記載のロボット。
【請求項７】
前記可動部は１以上の関節アクチュエータを含み、
前記実行可否判定手段は、前記逆動力学演算手段により算出された各関節アクチュエータのトルクをその回転数の組み合わせをＮ−Ｔ線図上で照合して、該当するアクチュエータの性能の範囲内で実行可能か否かを判定する、
ことを特徴とする請求項６に記載のロボット。
【請求項８】
前記逆動力学演算手段により制御周期毎に算出されたトルクを最小にするような実時間歩容の自動生成を行なう運動安定化手段をさらに備える、
ことを特徴とする請求項１に記載のロボット。
【請求項９】
前記逆動力学演算手段により制御周期毎に算出されたトルクを基に、前記可動部における消費電力を算出する電力管理手段をさらに備える、
ことを特徴とする請求項１に記載のロボット。
【請求項１０】
前記逆動力学演算手段により制御周期毎に算出されたトルクを基に、前記可動部における温度上昇を管理する温度管理手段をさらに備える、
ことを特徴とする請求項１に記載のロボット。
【請求項１１】
少なくとも複数の可動部を備えたロボットにおける前記可動部の運動パターンを記述したモーション・データを評価するロボットのためのモーション評価方法であって、
モーション実行時の目標軌道を求めるステップと、
該目標軌道を実現するときの、機体の複数の点に印加される外力分布を決定する外力分布決定ステップと、
該決定された外力が作用する条件下で逆動力学演算を実行することにより、前記可動部におけるトルクを算出する逆動力学演算ステップと、
を具備することを特徴とするロボットのためのモーション評価方法。
【請求項１２】
評価対象となるモーションを入力又は編集するステップをさらに備える、
ことを特徴とする請求項１１に記載のモーション評価方法。
【請求項１３】
前記ロボットの可動部の実動作制御系と同一の構成をなし、モーション・データを入力して目標軌道に関する情報を求める仮想動作制御ステップをさらに備える、
ことを特徴とする請求項１１に記載のモーション評価方法。
【請求項１４】
前記外力分布決定ステップでは、機体の複数の点に作用する垂直反力の２次形式を最小化するように、前記の各点に作用する垂直反力の値を決定する、
ことを特徴とする請求項１１に記載のモーション評価方法。
【請求項１５】
前記外力分布決定ステップでは、機体の複数の点に作用する摩擦力が均一になるように、前記の各点に作用する摩擦力の値を決定する、
ことを特徴とする請求項１１に記載のモーション評価方法。
【請求項１６】
前記逆動力学演算手段により算出されたトルクに基づいて、モーション・データが前記可動部の動作性能の範囲内で実行可能か否かを判定する実行可否判定ステップをさらに備える、
ことを特徴とする請求項１１に記載のモーション評価方法。
【請求項１７】
前記可動部は１以上の関節アクチュエータを含み、
前記実行可否判定ステップでは、前記逆動力学演算手段により算出された各関節アクチュエータのトルクをその回転数の組み合わせをＮ−Ｔ線図上で照合して、該当するアクチュエータの性能の範囲内で実行可能か否かを判定する、
ことを特徴とする請求項１６に記載のモーション評価方法。
【請求項１８】
前記実行可否鑑定ステップにおける判定結果を外部出力するステップをさらに備える、
ことを特徴とする請求項１６に記載のモーション評価方法。
【手続補正書】
【提出日】平成18年9月11日(2006.9.11)
【手続補正１】
【補正対象書類名】特許請求の範囲
【補正対象項目名】請求項２
【補正方法】変更
【補正の内容】
【請求項２】
前記算出手段は、前記基準部分としての、前記撮像により得た画像の健常部とみなせる領域の前記パラメータを用いる手段であって、当該基準となる部分は、前記所望部位が対称形の臓器のときには左右対となる健康側の部分、前記所望部位が脳ならば被検体によらずほぼ安定している領域、または流量の既知のファントムであることを特徴とする請求項１に記載の血流解析装置。
【手続補正書】
【提出日】平成18年3月2日(2006.3.2)
【手続補正１】
【補正対象書類名】明細書
【補正対象項目名】請求項１
【補正方法】変更
【補正の内容】
【請求項１】  自動車用座席のためのスライドレールであって、
自動車に固定されることになっている固定部分（６）と、
前記固定部分（６）に沿ってスライド可能に装着されており、かつ、いわゆる縦方向に前記座席が前後に移動することを可能にするために前記座席に固定されるようになっている可動部分（７）であって、少なくとも前記固定部分（６）が、ウェブ（１０）と２つのフランジ（１１）とを持つＵ字形の横断面を有し、前記固定部分（６）と前記可動部分（７）とが内側容積を画定し、前記固定部分（６）の前記２つのフランジ（１１）が互いに向かって折り曲げられており、かつ、前記固定部分（６）から内向きにかつ下向きに湾曲したフック形の屈曲部（１２）の形で終端しており、前記可動部分（７）が前記固定部分（６）の前記２つのフランジ（１１）の間を縦方向にスライドする可動部分（７）と、
スライドレール留め具（２０）であって、該留め具（２０）が前記固定部分（６）と前記可動部分（７）とを互いに対して移動不可能にするロック位置と、該留め具（２０）が前記可動部分（７）のスライドを可能にするロック解除位置との間を移動することが可能であり、かつ、そのロック位置に向かって弾性的に偏倚させられているスライドレール留め具（２０）と、
前記縦方向に平行に前記固定部分（６）に対してスライド可能に装着されており、かつ、前記スライドレールの内側容積の外側に配置されている記憶ランナ（４５）と、
前記記憶ランナ（４５）の結合装置（６０）であって、該結合装置が前記記憶ランナ（４５）を前記可動部分（７）に固定する結合位置と、前記結合装置（６０）が前記記憶ランナ（４５）を前記可動部分（７）に固定しない非結合位置との間を移動することが可能である結合装置（６０）と、
前記可動部分（７）の後方移動を制限すると同時に前記可動部分（７）の記憶位置を画定する前記記憶ランナ（４５）を移動させずに、前記可動部分が前方にスライドすることを可能にするように、前記スライドレール留め具（２０）をそのロック位置からロック解除位置に移動させるようになっている第１の制御手段（３５）と、
前記座席の記憶位置を調整するために、前記可動部分（７）と前記記憶ランナ（４５）とが前記固定部分（６）に対して前方または後方に同時にスライドすることを可能にするように、前記スライドレール留め具（２０）をそのロック位置からロック解除位置に移動させると同時に前記結合装置（６０）をその非結合位置から結合位置に移動させるようになっている第２の制御手段（７５）
とを含むスライドレールにおいて、
前記記憶ランナ（４５）が、前記固定部分（６）の一方のフランジ（１１）とはめあい係合することと、
ランナ留め具（５５）が前記記憶ランナ（４５）に担持されており、前記ランナ留め具が、前記ランナ留め具（５５）が前記記憶ランナ（４５）を前記固定部分（６）に対して移動不可能にするロック位置と、前記ランナ留め具（５５）が前記記憶ランナ（４５）を移動不可能にしないロック解除位置との間を移動することが可能であり、かつ、少なくとも前記可動部分（７）が記憶位置に戻る時に、前記ランナ留め具（５５）が前記ロック位置にあることと、
前記記憶ランナ（４５）を担持する前記フランジ（１１）が、前記ランナ留め具（５５）が前記ロック位置にある時に前記ランナ留め具（５５）が係合する切欠き（５６）を含むこととを特徴とするスライドレール。
【手続補正２】
【補正対象書類名】明細書
【補正対象項目名】請求項８
【補正方法】変更
【補正の内容】
【請求項８】  前記支持部分（３６）が爪（８５）を有し、前記爪（８５）が、前記記憶ランナ（４５）の移動なしに前記可動部分が前後にスライドする時に前記爪が前記第２の制御手段（７５）と係合して前記スライドレール留め具（２０）をそのロック解除位置に保持する係合位置と、前記爪が前記記憶ランナ（４５）に突き当たる非係合位置との間を移動することが可能な形で装着されている請求項７に記載のスライドレール。
【手続補正３】
【補正対象書類名】明細書
【補正対象項目名】０００３
【補正方法】変更
【補正の内容】
【０００３】
一般的に述べると、こうしたスライドレールは、特許文献ＷＯ  ９７／０３８６０に開示されているように、
自動車に固定されることになっている固定部分と、
上記固定部分に沿ってスライド可能に装着されており、かつ、いわゆる縦方向に座席が前後に移動することを可能にするようにその座席に固定されるようになっている可動部分であって、少なくとも上記固定部分が、ウェブと２つのフランジとを持つＵ字形の横断面を有し、上記固定部分とその可動部分とが内側容積を画定し、上記固定部分の上記２つのフランジが互いに向かって折り曲げられており、かつ、上記固定部分から内向きにかつ下向きに湾曲したフック形の屈曲部として終端しており、その可動部分が上記固定部分の２つのフランジの間を縦方向にスライドする可動部分と、
スライドレール留め具であって、その留め具が上記固定部分と上記可動部分とを互いに対して移動不可能にするロック位置と、その留め具が上記可動部分のスライドを可能にするロック解除位置との間を移動することが可能であり、かつ、そのロック位置に向かって弾性的に偏倚させられているスライドレール留め具と、
上記縦方向に平行に上記固定部分に対してスライド可能な形で装着されており、かつ、上記スライドレールの内側容積の外側に配置されている記憶ランナと、
上記記憶ランナの結合装置であって、その結合装置が上記記憶ランナを上記可動部分に固定する結合位置と、その結合装置が上記記憶ランナを上記可動部分に固定しない非結合位置との間を移動することが可能である結合装置と、
上記可動部分の後方移動を制限すると同時に上記可動部分の記憶位置を画定する上記記憶ランナを移動させずに、上記可動部分が前方にスライドすることを可能にするように、上記スライドレール留め具をそのロック位置からロック解除位置に移動させるようになっている第１の制御手段と、
上記座席の記憶位置を調整するために、上記可動部分と上記記憶ランナとが上記固定部分に対して前方または後方に同時にスライドすることを可能にするように、上記スライドレール留め具をそのロック位置からロック解除位置に移動させると同時に上記結合装置をその非結合位置から結合位置に移動させるようになっている第２の制御手段とを含む。
【手続補正４】
【補正対象書類名】明細書
【補正対象項目名】００１７
【補正方法】変更
【補正の内容】
【００１７】
上記支持部分が爪を有し、上記爪が、上記記憶ランナの移動なしに上記可動部分が前後移動する時に上記爪が上記第２の制御手段と係合して上記スライドレール留め具をそのロック解除位置に保持する係合位置と、上記爪が上記記憶ランナに突き当たる非係合位置との間を移動することが可能に装着されている。
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】 トレッド、およびコードで強化されたゴム組成物から成る少なくとも１層のカーカスプライを含む支持カーカスを含んで成るタイヤにして、該カーカスプライ用ゴム組成物が、ゴム１００phrを基準にして、（Ａ）天然のシス１，４−ポリイソプレンゴム６０〜９０phrとシス１，４−ポリブタジエンゴム１０〜４０phr、（Ｂ）１１０〜１３５ｃｍ3／１００ｇの範囲のDBP値および９０〜１２０ｇ／ｋｇの範囲の沃素吸収値を有するカーボンブラック１５〜３５phrならびに（Ｃ）ロジン酸２〜８phrを含んで成ることを特徴とし、ロジン酸が、ウッドロジン、タル油ロジンおよびガムロジンの内の少なくとも１種から選ばれる天然のロジン酸であることを特徴とする、前記のタイヤ。
【請求項２】 カーカスプライ用ゴム組成物が、エポキシ化天然ゴム、フェノール系粘着性付与剤、シリカ、ならびに１１０ｃｍ3／１００ｇ未満のDBP値および９０ｇ／ｋｇ未満の沃素吸収値を有するカーボンブラック強化材を認め得るような量では含んでおらず；ロジン酸がウッドロジン、タル油ロジンおよびガムロジンの内の少なくとも１種から選ばれ；そしてカーカスプライ用のコード強化材がポリエステルコード、アラミドコードおよびナイロンコードの内の少なくとも１種から選ばれることを特徴とする、請求項１に記載のタイヤ。
【請求項３】 カーカスプライ用ゴム組成物が、中ビニルポリブタジエン（ビニル含量４０〜６０パーセント）、スチレン／ブタジエンゴム、スチレン／イソプレンゴムおよびスチレン／イソプレン／ブタジエンゴムの内の少なくとも１種から選ばれる少なくとも１種の追加のエラストマーを５〜１０phr含有していることを特徴とする、請求項１又は２に記載のタイヤ。
【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】
インクジェットノズルアレイで媒体を網羅する方法において、次のステップ；
インクジェットノズルアレイを設けるステップと、
インクジェット印刷動作中に前記ノズルアレイによって噴射されるインク小滴を受け取るために平坦な媒体を支持するステップと、
前記インクジェット印刷動作中に前記インク小滴を前記媒体上に噴射するステップと、
前記インクジェット印刷動作中での前記ノズルアレイの軌跡によって前記媒体の上に螺旋状経路が与えられるように、前記ノズルアレイと前記媒体との間の相対運動を生じさせるステップとを有し、
前記経路の大部分にわたる前記経路の隣接する部分の端は離間することを特徴とするインクジェットノズルアレイで媒体を網羅する方法。
【請求項２】
相対運動を生じさせる前記ステップが、前記印刷動作中の前記ノズルアレイの定期的な停止し及びその方向の反転を生じさせることなく達成されることをさらに特徴とする請求項１に記載の方法。
【請求項３】
前記ノズルアレイが、座標中心から放射状に伸びるアームに取り付けられており、
相対運動を生じさせる前記ステップが、前記媒体を前記座標中心を中心として回転させながら、前記アーム上で前記座標中心から外方に向かって前記ノズルアレイを移動させることを含むことをさらに特徴とする請求項１又は請求項２に記載の方法。
【請求項４】
前記ノズルアレイは、前記座標中心から放射状に延在する方向で第１の距離にわたっており、
相対運動を生じさせる前記ステップは、前記媒体の前記座標中心を中心とした一回転のごとに、前記ノズルアレイが前記第１の距離よりも短い距離だけ半径方向に移動されるように、前記ノズルアレイを半径方向に同じ割合で移動させることを有することをさらに特徴とする請求項３に記載の方法。
【請求項５】
前記ノズルアレイが、前記座標中心に対する最も外側のノズルを含む複数のノズルを含み、
インクジェット印刷動作中にインク小滴を噴射する前記ステップが、前記最も外側のノズルからの前記インク小滴を一定速度で噴射することを含み、
相対運動を生じさせる前記ステップが、前記インクジェットノズルアレイの前記最も外側のノズルの略一定な接線速度を得るために、前記媒体の前記相対回転速度を変化させることを含むことをさらに特徴とする請求項１から請求項４までのいずれか１項に記載の方法。
【請求項６】
インクジェット印刷動作中にインク小滴を噴射するためのインクジェットノズルアレイと、
前記インクジェット印刷動作中に前記ノズルアレイによって噴射される前記インク小滴を受け止めるように位置決めされた平坦な媒体と、
前記インクジェット印刷動作中での前記ノズルアレイの軌跡によって前記媒体の上に螺旋状経路が与えられるように、前記ノズルアレイと前記媒体との間の相対運動を生じさせるための装置とを備え、
前記経路の大部分にわたる前記経路の隣接する部分の端は離間することを特徴とするインクジェット印刷システム。
【請求項７】
前記ノズルアレイと前記媒体との間の相対運動を生じさせるための前記装置が、前記印刷動作中での前記媒体に対する前記ノズルアレイの部分的なオーバラップを与える速度で、前記ノズルアレイを半径方向に移動するように構成されることをさらに特徴とする請求項６に記載のシステム。
【請求項８】
前記ノズルアレイと前記媒体との間の相対運動を設定するための前記装置が、前記媒体に対する前記ノズルアレイの部分的なアンダーラップを与える速度で、前記ノズルアレイを半径方向に移動するように構成されることをさらに特徴とする請求項７に記載のシステム。
【請求項９】
前記ノズルアレイが取り付けられるインクジェットペンと、
前記ペンを保持するためのペンキャリッジであって、座標中心を通って延在するキャリッジ軸に沿って移動するように取り付けられるペンキャリッジと、
前記キャリッジ軸に沿う前記移動のために前記ペンキャリッジを支持するアーム構造とを備え、
相対運動を生じさせるための前記装置が、前記ペンをアーム上において前記座標中心から外方に移動させるためのキャリッジ駆動装置と、前記座標中心を中心として前記媒体を回転させるための回転駆動機構とを有することをさらに特徴とする請求項７に記載の印刷システム。
【請求項１０】
前記ノズルアレイを構成する所与のノズルから、印刷動作の間に一定速度で前記ノズルアレイにインク小滴を発射させるノズル噴射命令を生成する制御装置を備え、
前記媒体を回転させる前記装置が、前記インクジェットノズルアレイの略一定な接線速度を得るために、前記媒体の回転速度を変化させるように構成されることをさらに特徴とする請求項６から請求項９までのいずれか１項に記載の印刷システム。
【手続補正書】
【提出日】平成18年4月7日(2006.4.7)
【手続補正１】
【補正対象書類名】明細書
【補正対象項目名】特許請求の範囲
【補正方法】変更
【補正の内容】
【特許請求の範囲】
【請求項１】
インク滴を印刷媒体上に放出し、これによって前記印刷媒体上にドットを生成する複数のノズルと、制御信号に応じて前記ドットの画像を形成する結像センサと、前記画像から得られる情報を読み出す制御装置と、を備えたことを特徴とするプリントヘッド。
【請求項２】
画素センサであって、前記複数のノズルの所定の１つによって生成されたドットを検出する光検出器と、前記ドットを検出する前記光検出器に応答して前記制御信号を生成する回路と、を有する画素センサをさらに備えたことを特徴とする請求項１に記載のプリントヘッド。
【請求項３】
前記複数のノズルは、ノズル間の間隔に特徴のある規則的なアレイに配置され、前記結像センサは、前記複数のノズル間の間隔よりも小さい距離だけ互いに離れて配置された前記光検出器の規則的な２次元のアレイで構成されたことを特徴とする請求項１に記載のプリントヘッド。
【請求項４】
前記光検出器の２次元のアレイが複数行の光検出器で構成され、
前記プリントヘッドが、ポインタおよび複数のＡ／Ｄ変換器をさらに備え、各Ａ／Ｄ変換器が前記行の１つに対応し、各Ａ／Ｄ変換器がそのＡ／Ｄ変換器に対応する行内の選択された光検出器を示すデジタル値を生成し、前記選択された光検出器が前記ポインタによって指定されることを特徴とする請求項３に記載のプリントヘッド。
【請求項５】
前記Ａ／Ｄ変換器の出力を処理する複数のプロセッサをさらに備え、前記複数のプロセッサの１つが前記行のそれぞれに対応し、各プロセッサがそのプロセッサに対応する行について生成されたＡ／Ｄ値をもとに計算を行い、この行に対応する出力を生成することを特徴とする請求項４に記載のプリントヘッド。
【請求項６】
前記出力値が、前記プロセッサに対応する前記行の前記光検出器によって結像されたドットの部分の画像の位置を示すことを特徴とする請求項５に記載のプリントヘッド。
【請求項７】
前記出力値が、前記プロセッサに対応する前記行の前記光検出器によって結像されたドットの部分の画像の大きさを示すことを特徴とする請求項５に記載のプリントヘッド。
【請求項８】
前記行のそれぞれに対応する１ワードを有する出力レジスタをさらに備え、前記出力レジスタは前記プロセッサが生成した前記出力値を記憶することを特徴とする請求項５に記載のプリントヘッド。
【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  つぼローラの周面に対する遠近方向へ移動自在に設けられたブレードと、該ブレードの両側端部に設けられた一対のインキせきと、これらを支持するホルダーとを備えたインキつぼ装置を、前記つぼローラの軸方向に延設されたインキつぼ支持部材に対して前記つぼローラの軸方向に移動可能に支持させたことを特徴とするインキ装置。
【請求項２】  前記インキせきは、弾性部材により常時つぼローラに向けて付勢されていることを特徴とする請求項１記載のインキ装置。
【請求項３】  前記インキせきは回転自在に支持され、その円弧状面が前記つぼローラの周面に対して自動的に密着されることを特徴とする請求項１又は２記載のインキ装置。
【手続補正２】
【補正対象書類名】明細書
【補正対象項目名】００１１
【補正方法】変更
【補正の内容】
【００１１】
【課題を解決するための手段】
上記目的を達成するために、本発明に係るインキ装置は、つぼローラの周面に対する遠近方向へ移動自在に設けられたブレードと、該ブレードの両側端部に設けられた一対のインキせきと、これらを支持するホルダーとを備えたインキつぼ装置を、前記つぼローラの軸方向に延設されたインキつぼ支持部材に対して前記つぼローラの軸方向に移動可能に支持させたことを特徴とする。
これによれば、インキつぼ装置の移動により絵柄部分のみにインキを転移させられると共に、ブレードの進退で直接絵柄に合わせてインキ供給量を正確に微調整することができる。
【手続補正３】
【補正対象書類名】明細書
【補正対象項目名】００５１
【補正方法】変更
【補正の内容】
【００５１】
【発明の効果】
以上説明したように請求項１の発明によれば、つぼローラの周面に対する遠近方向へ移動自在に設けられたブレードと、該ブレードの両側端部に設けられた一対のインキせきと、これらを支持するホルダーとを備えたインキつぼ装置を、前記つぼローラの軸方向に延設されたインキつぼ支持部材に対して前記つぼローラの軸方向に移動可能に支持させたので、インキつぼ装置の移動により絵柄部分のみにインキを転移させられインキ消費量の低減が図れると共に、ブレードの進退で直接絵柄に合わせてインキ供給量を正確に微調整することができる。
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】
少なくとも三つの噴射器部分を有するプリントヘッド部分と少なくとも三つのインクチャンバとを備えるインクジェットプリントシステムであって、各インクチャンバは、少なくとも三つの噴射器部分の一つにインクを供給するためのものであり、インクチャンバの二つは各々、第１または第２の相互反応性インクの一つを備え、他のインクチャンバは、第１または第２の相互反応性インクと反応しないインク（非反応性インク）を備える貯蔵器部分を備えている、インクジェットプリントシステム。
【請求項２】
前記プリントヘッド部分及び前記貯蔵器部分が、一体化プリントカートリッジを形成している、請求項１に記載のシステム。
【請求項３】
前記貯蔵器部分が、前記プリントヘッド部分に取り外し可能に取付けられるように設けられている、請求項１に記載のシステム。
【請求項４】
前記プリントヘッド部分が、少なくとも三つの流体入口を備え、前記貯蔵器部分が、前記少なくとも三つの流体入口に接続するよう構成された少なくとも三つの対応する流体出口を備えている、請求項１に記載のシステム。
【請求項５】
前記非反応性インクを噴射する噴射器部分が、前記第１及び第２の相互反応性インクのための二つの噴射器部分の間に設置されている、請求項１に記載のシステム。
【請求項６】
更に、前記第１の相互反応性インクと反応する四つのインクを備えている、請求項５に記載のシステム。
【請求項７】
更に、前記プリントヘッド部分を支持し、前記プリントヘッド部分とプリント媒体との間の相対運動を与える走査キャリッジを備えている、請求項１に記載のシステム。
【請求項８】
インクジェットプリントシステムにインクを供給するためのインク供給システムであって、少なくとも二つの相互反応性インクが入っている一体形成型貯蔵器部分を備えている、インク供給システム。
【請求項９】
前記貯蔵器部分が、前記少なくとも二つの相互反応性インクと反応しないインク（非反応性インク）を更に備えている、請求項８に記載のシステム。
【請求項１０】
前記貯蔵容器部分が、前記インクジェットプリントシステムに関連する三つの流体入口に前記少なくとも二つの相互反応性インク及び前記非反応性インクを供給するための少なくとも三つの流体出口を備え、相互反応性インクを供給するための流体出口が、非反応性インクを供給する流体出口によって隔てられており、それによって相互反応性インクの混合が最小限となる、請求項９に記載のシステム。
【請求項１１】
前記インクジェットプリントシステムが、プリントヘッド部分を備えており、且つ前記一体形成型貯蔵器部分が、前記プリントヘッド部分に取り外し可能に取付けられるように設けられており、それによって前記プリントヘッド部分が相互反応性インクを利用できる、請求項８に記載のシステム。
【請求項１２】
少なくとも二つの相互反応性インクと、前記少なくとも二つの相互反応性インクとは反応しないインク（非反応性インク）とを含む複数のインクが入っている複数のインクチャンバを備えている、インク供給システム。
【請求項１３】
前記複数のインクチャンバが、一体形成型貯蔵器部分を形成している、請求項１２に記載のシステム。
【請求項１４】
前記相互反応性インクの１つがブラックである、請求項１２に記載のシステム。
【請求項１５】
前記相互反応性インクの他方が、マゼンタ又はイエローである、請求項１４に記載のシステム。
【請求項１６】
前記非反応性インクが、シアンである、請求項１４に記載のシステム。
【請求項１７】
前記二つの相互反応性インクの１つと反応性を示す第４のインクを有する、請求項１２に記載のシステム。
【請求項１８】
前記二つの相互反応性インクがブラックとマゼンタであり、前記非反応性インクがシアンであり、前記第４のインクがイエローであり、且つ前記第４のインクがブラックには反応性を示すがマゼンタには反応性を示さない、請求項１７に記載のシステム。
【請求項１９】
インクジェットプリントシステムのためのインク供給システムであって、
一体化インクジェットプリントヘッド部分にインクを供給するための複数のインクチャンバを含んで成り、各インクチャンバが、前記一体化インクジェットプリントヘッド部分に関連する複数の対応する噴射器部分の１つに供給すべき複数のインクのうちの１つを収容しており、前記複数のインクが、少なくとも二つの相互反応性インクを含む、インク供給システム。
【請求項２０】
前記複数のインクが、更に、前記少なくとも二つの相互反応性インクと反応しないインク（非反応性インク）を備えている、請求項１９に記載のインク供給システム。
【請求項２１】
前記非反応性インクを噴射する噴射器部分が、前記少なくとも二つの反応性インクを噴射するための二つの噴射器部分の間に設置される、請求項２０に記載のシステム。
【請求項２２】
前記複数のインクチャンバが、前記インクジェットプリントシステムに連結した３つの流体入口に前記少なくとも二つの相互反応性インクと前記非反応性インクとを供給するための少なくとも３つの流体出口を備え、相互反応性インクのための流体出口が、非反応性インクのための流体出口によって隔てられており、それによって相互反応性インクの混合が最小限となる、請求項２０に記載のシステム。
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  バンドの重畳部分を溶接するバンド掛け工具において、
第１の支持部材に接近して前記第１の支持部材との間でバンドと係合しこれを保持する溶接グリッパと、
第２の支持部材に接近して、前記第２の支持部材との間に配置されたバンドの重畳部分を溶接するための振動可能な溶接パッドと、
前記溶接グリッパと前記溶接パッドとの間に配設された頂部とを具備し、
バンドの重畳部分が前記頂部の上に重ねるように配置され、前記溶接パッドにより溶接されるバンド部分が、前記溶接グリッパと前記溶接パッドとの間で強度が低減されるようにしたバンド掛け工具。
【請求項２】  バンド前記第１の支持部材が前記第２の支持部材に対して所定の角度を以て配設されており、前記上部が前記第１と第２の支持部材の交差部に形成される請求項１に記載のバンド掛け工具。
【請求項３】  更に、ベースプレートを具備し、
前記第１の支持部材が前記ベースプレートの第１の部位に配設されており、前記第２の支持部材が前記ベースプレートの第２の部位に配設されており、前記ベースプレートの第１と第２の部位の間の交差部に頂部が形成される請求項２に記載のバンド掛け工具。
【請求項４】  前記第１の支持部材が前記ベースプレートの先端部分に形成される請求項３に記載のバンド掛け工具。
【請求項５】  前記ベースプレートが、前記第２の支持部材に対して角度を以て形成された後端部を有しており、前記先端部分と後端部が前記第２の支持部材から下方に傾斜してベースプレートの厚さを低減している請求項１に記載のバンド掛け工具。
【請求項６】  フット部材に接近可能に設けられバンドの送出部分と係合して張力付与する給送ホイールと、第３の支持部材に接近可能に設けられ、張力付与工程の間にバンドの先端部分と係合してこれを保持する張力グリッパとを具備する請求項１に記載のバンド掛け工具。
【請求項７】  更に、ベースプレートを具備し、
前記第１の支持部材が前記ベースプレートの第１の部位に配設され、前記第２の支持部材が前記ベースプレートの第２の部位に配設され、前記第３の支持部材が前記ベースプレートの後端部に配設されており、前記ベースプレートの第２の部分が先端部分と後端部の中間に配設されおり、前記ベースプレートの先端部分と後端部が、前記第２の部位から下方に傾斜している請求項６に記載のバンド掛け工具。
【請求項８】  バンド掛け工具によりバンドの重畳部分を溶接する方法おいて、
溶接グリッパと第１の支持部材との間に張力を付与したバンドを係合可能に保持し、
振動溶接パッドと第２の支持部材との間に配置されたバンドの重畳部を溶接し、
前記溶接グリッパと前記溶接パッドとの間において、溶接に先立って、振動溶接パッドに係合可能なバンドの重畳部分の強度を低減することを含む方法。
【請求項９】  更に、前記振動溶接パッドにより係合可能なバンド部分を変形させることにより強度を低減することを含む請求項８に記載の方法。
【請求項１０】  前記溶接グリッパと前記溶接パッドの間の頂部の上に重ねるように配置されるバンドの重畳部分を屈曲させることにより強度を低減させることを含む請求項８に記載の方法。
【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  バンドの重畳部分を溶接するバンド掛け工具において、
第１の支持部材に接近可能に設けられた溶接グリッパと、
第２の支持部材に接近可能に設けられた振動溶接パッドと、
前記溶接パッドを加振する振動モータと、
前記溶接グリッパを第１の支持部材へ接近させ、前記溶接グリッパと第１の支持部材の間に配置され張力を付与されたバンドに係合、保持させる第１のカム部材と、
前記振動モータを起動して溶接パッドを加振する第２のカム部材と、
振動する溶接パッドを第２の支持部材へ接近させ、溶接パッドと第２の支持部材の間に配置されたバンドの重畳部と係合、溶接させる第３のカム部材とを具備するバンド掛け工具。
【請求項２】  更に、前記第１と、第２と、第３のカム部材を回転自在に支持する駆動軸を有するカム組立体を具備する請求項１に記載のバンド掛け工具。
【請求項３】  更に、前記カム組立体の共通の駆動軸に連結されたカム駆動モータを具備する請求項２に記載のバンド掛け工具。
【請求項４】  更に、振動溶接パッドが第２の支持部材に接近する時、溶接パッドに設けられ上側のバンドを切断する切断切刃を具備する請求項１に記載のバンド掛け工具。
【請求項５】  更に、前記溶接グリッパに連結され前記第１のカム部材に係合可能な第１のローラと、前記溶接パッドに連結され前記第３のカム部材に係合可能な第２のローラと、前記第２のカム部材に係合して前記振動モータを起動するスイッチとを具備する請求項１に記載のバンド掛け工具。
【請求項６】  更に、前記溶接グリッパと前記溶接パッドの間に設けられた頂部を具備し、該頂部の上に重ねるように配置して少なくともバンドの重畳部分を屈曲させることにより強度を低減するようにした請求項１に記載のバンド掛け工具。
【請求項７】  更に、ベースプレートを具備し、
前記第１の支持部材が前記ベースプレートの先端部分に配設され、前記第２の支持部材が前記ベースプレートの第２の部位に配設されており、前記頂部を形成するために、前記ベースプレートの先端部分が前記ベースプレートの第２の部位に対して角度を以て配設されている請求項６に記載のバンド掛け工具。
【請求項８】  更に、フット部材に接近してバンドの送出部分に係合可能に設けられた給送ホイールと、張力付与工程の間に第３の支持部材に接近してバンドの先端部分と係合しこれを保持する張力グリッパとを具備する請求項１に記載のバンド掛け工具。
【請求項９】  前記第１の支持部材が前記ベースプレートの先端部分に配設され、前記第２の支持部材が前記ベースプレートの前記先端部分に対して角度を以て形成された第２の部位に配設されている請求項８に記載のバンド掛け工具。
【請求項１０】  更に、前記ベースプレートの後端部分に配設された第３の支持部材を具備し、前記第２の部位が前記ベースプレートの先端部分と後端部分の中間に配置されており、前記先端部分と後端部分が前記ベースプレートの第２の部位から下方に傾斜している請求項９に記載のバンド掛け工具。